(57)【要約】      （修正有）【課題】高齢者や目の不自由な患者が使用する場合でも、簡単且つ安全に装填することができ、また簡便な操作でアンチフリーフローの状態又はフリーフローの状態にすることができる輸液ポンプ用チューブカセットを提供する。【解決手段】プッシュ片９を押下げないとき、バネ付勢によってフリーフローバルブ８は上方へ移動することによって開口部１０に挿通されたチューブＴを上下側の突起１１ａ、１２ａで閉塞状態に押圧する一方、プッシュ片９を下方へ押圧するフリーフローキー１９を片側保持部４ａに嵌め込んだとき、フリーフローバルブ８はチューブＴを開放状態にし、さらに輸液ポンプの本体溝２７にフリーフローキー１９を取り外してカセット本体２をプッシュ片９が表側に突出した状態で装填したとき、輸液ポンプに設けられた開閉蓋２２を閉じることによってプッシュ片９を押下げることにより、チューブＴを開放状態にする。【選択図】図１
0003133453.tif 000002
【実用新案登録請求の範囲】
【請求項１】
輸液ポンプに設けられた本体溝に装填し、回転するロータに設けられたローラの押圧によってチューブ内の薬液を移送する輸液ポンプ用チューブカセットにおいて、
長尺の薄板片で連結された両側のチューブ用保持部に挿入溝が形成され、
夫々の挿入溝に挿着された可撓性チューブを両側の保持部間で露呈するカセット本体を有し、カセット本体の片側保持部には挿入溝に連通するように形成されたバルブ孔にフリーフローバルブが上下動可能に設けられ、
該フリーフローバルブには前記挿入溝に挿着されたチューブを挿通する開口部が形成され、該開口部内の上方に設けられたフローバルブ片の下側と開口部の上側とに設けられた突起の押圧動作によって前記チューブが閉塞可能とされ、
常時上方へバネで付勢されたフリーフローバルブの上端にはカセット本体から上側へ突出したプッシュ片が設けられ、
プッシュ片を押下げないとき、バネ付勢によってフリーフローバルブは上方へ移動することによって前記開口部に挿通されたチューブを前記上下側の突起で閉塞状態に押圧する一方、
プッシュ片を押下げるフリーフローキーを片側保持部に嵌め込んだとき、フリーフローバルブはチューブを開放状態にし、
さらに輸液ポンプの本体溝に前記フリーフローキーを取り外して前記カセット本体をプッシュ片が表側に突出した状態で装填したとき、輸液ポンプに設けられた開閉蓋を閉じることによってプッシュ片を押下げることにより、チューブを開放状態にすることを特徴とする輸液ポンプ用チューブカセット。
【請求項２】
前記フリーフローキーは、断面コ字形の弾性形状により形成され、カセット本体の片側保持部に嵌め込んでカセット本体の上面から突出してなるプッシュ片を押下げたとき、プッシュ片に嵌合される案内溝を有することによって位置決め可能であり、またフリーフローキーをカセット本体の片側保持部に嵌め込んだときは、輸液ポンプの本体溝に装填することができないようにしたことを特徴とする請求項１記載の輸液ポンプ用チューブカセット。
【請求項３】
前記カセット本体を輸液ポンプの本体溝に装填した状態で開閉蓋を閉じる動作によって、輸液ポンプに設けられたステータがカセット本体を輸液ポンプのロータ側に移動させて該ロータに設けられた複数のローラがカセット本体に露呈されたチューブを押圧し、ロータの回転駆動によってチューブ内の薬液が移送されることを特徴とする請求項１又は２記載の輸液ポンプ用チューブカセット。
【考案の詳細な説明】
【技術分野】
【０００１】
本考案は、体内に薬液（輸液）を注入するための輸液ポンプにチューブを装着する作業を容易に行う輸液ポンプ用チューブカセットに関する。
【背景技術】
【０００２】
近年、携帯可能な小型輸液ポンプが開発され、病院内のみならず在宅患者が家庭において単独で輸液を行うことが可能となっている。しかしながら、チューブを輸液ポンプに装着する作業には、指先の細かな作業が要求され、また必要に応じて、フリーフロー状態にしたり、アンチフリーフロー状態にする等、面倒な操作が要求される。このため、従来から、輸液チューブをカセットで扱えるようにした装置が案出されている。
【０００３】
そのような装置の従来例として、特許文献１に記載されている輸液ポンプ用カセットは、輸液チューブに蠕動を付与する複数のフィンガーを備えた輸液ポンプにカセットを装着するタイプのものである。ところが、この文献の装置において、輸液チューブ内の液流を制止するクランプ部は開閉動作を行う第１のアームと第２のアームとからなり、これらのアームを閉じる際に、別途用意した断面コ字形の金属製板バネでアームを挟み込んで付勢するという操作を必要とするため、簡便さに欠け、高齢者や目の不自由な患者が取り扱うのが困難であった。
【０００４】
また、特許文献２に記載されている輸液ポンプ用カセットは、ローラポンプを備えた輸液ポンプにカセットを装着するタイプのものであり、緊急時に自然落下により薬液を注入する場合において、カセットに配置されている規制部材をスライドさせるだけでフリーフロー機能を解除することが可能とされている。しかしながら、このカセットに設けられている規制部材は非常に小さな形状から構成されており、指先の細かな操作を必要とするため、この装置もまた、高齢者や目の不自由な患者が取り扱うには困難であった。
【特許文献１】特開２００４−１４１４１８号公報
【特許文献２】特開２００１−２１８８４１号公報
【考案の開示】
【考案が解決しようとする課題】
【０００５】
本考案は、上記の事情に鑑みてなされたもので、体内に薬液を注入するための輸液ポンプに輸液チューブを装着する際に使用するカセット構造であって、高齢者や目の不自由な患者が使用する場合でも、簡単且つ安全に装填することができ、また簡便な操作でアンチフリーフローの状態又はフリーフローの状態にすることができる輸液ポンプ用チューブカセットを提供することを目的とする。
【課題を解決するための手段】
【０００６】
上記の目的を達成するために、本考案の請求項１の輸液ポンプ用チューブカセットは、輸液ポンプに設けられた本体溝に装填し、回転するロータに設けられたローラの押圧によってチューブ内の薬液を移送する輸液ポンプ用チューブカセットにおいて、長尺の薄板片で連結された両側のチューブ用保持部に挿入溝が形成され、夫々の挿入溝に挿着された可撓性チューブを両側の保持部間で露呈するカセット本体を有し、カセット本体の片側保持部には挿入溝に連通するように形成されたバルブ孔にフリーフローバルブが上下動可能に設けられ、該フリーフローバルブには前記挿入溝に挿着されたチューブを挿通する開口部が形成され、該開口部内の上方に設けられたフローバルブ片の下側と開口部の上側とに設けられた突起の押圧動作によって前記チューブが閉塞可能とされ、常時上方へバネで付勢されたフリーフローバルブの上端にはカセット本体から上側へ突出したプッシュ片が設けられ、プッシュ片を押下げないとき、バネ付勢によってフリーフローバルブは上方へ移動することによって前記開口部に挿通されたチューブを前記上下側の突起で閉塞状態に押圧する一方、プッシュ片を押下げるフリーフローキーを片側保持部に嵌め込んだとき、フリーフローバルブはチューブを開放状態にし、さらに輸液ポンプの本体溝に前記フリーフローキーを取り外して前記カセット本体をプッシュ片が表側に突出した状態で装填したとき、輸液ポンプに設けられた開閉蓋を閉じることによってプッシュ片を押下げることにより、チューブを開放状態にすることを特徴とする。
【０００７】
また、本考案の請求項２の輸液ポンプ用チューブカセットは、請求項１において、前記フリーフローキーは、断面コ字形の弾性形状により形成され、カセット本体の片側保持部に嵌め込んでカセット本体の上面から突出してなるプッシュ片を押下げたとき、プッシュ片に嵌合される案内溝を有することによって位置決め可能であり、またフリーフローキーをカセット本体の片側保持部に嵌め込んだときは、輸液ポンプの本体溝に装填することができないようにしたことを特徴とする。
【０００８】
さらに、本考案の請求項３の輸液ポンプ用チューブカセットは、請求項１又は２において、前記カセット本体を輸液ポンプの本体溝に装填した状態で開閉蓋を閉じる動作によって、輸液ポンプに設けられたステータがカセット本体を輸液ポンプのロータ側に移動させて該ロータに設けられた複数のローラがカセット本体に露呈されたチューブを押圧し、ロータの回転駆動によってチューブ内の薬液が移送されることを特徴とする。
【考案の効果】
【０００９】
以上のように構成された考案によれば、カセット本体は、長尺の薄板片で連結された両側のチューブ用保持部に挿入溝が形成されたものであるため、その形状は手の感触で上下関係を容易に判断することができるため、視力の弱い患者であっても容易に扱うことが可能であり、例えば輸液ポンプの本体溝に確実に装填することが可能であることによって、安全性の面でも有益である。
【００１０】
また、本考案によれば、プッシュ片を押下げないとき、バネ付勢によってフリーフローバルブは上方へ移動することによって開口部に挿通されたチューブを上下側の突起で閉塞状態に押圧することができるため、フリーフローキーをカセット本体に嵌合しない状態、またカセット本体を輸液ポンプの本体溝に装填して開閉蓋を閉じない状態では、常時チューブが閉塞され、薬液の漏洩が生じることがない。
【００１１】
また、フリーフローキーをカセット本体に嵌合してあるとき、またカセット本体を輸液ポンプの本体溝に装填して開閉蓋を閉じたときの動作によって、チューブは開放状態にされるため、細かな指先の操作を要することなく、チューブのフリーフロー状態とアンチ日リーフロー状態を遂行することが可能となる。
【００１２】
また、フリーフローキーをカセット本体の片側保持部に嵌め込んだ状態において、カセット本体の上面から突出してなるプッシュ片にフリーフローキーの案内溝が嵌合して定位置に位置決めされるため、容易に外れることがなく安全であり、またこのフリーフローキーを取り外すとき、このフリーフローキーは破損しても差し支えないため、視力の弱い患者であっても、フリーフローキーを手の感触で確かめながら、適宜の方向へ引っ張り出すか、横方向へ倒し込むことによって、容易に取り外すことが可能となる。
【００１３】
さらに、本考案によれば、カセット本体を輸液ポンプの本体溝に装填した状態で開閉蓋を閉じる動作によって、輸液ポンプに設けられたステータがカセット本体を輸液ポンプのロータ側に移動させて該ロータに設けられた複数のローラがカセット本体に露呈されたチューブを押圧し、ロータの回転駆動によってチューブ内の薬液が移送されることにより、従来細かな手指の操作を必要としていたチューブの到着作業を容易に行うことができ、手指の不自由な患者であっても、視力の弱い患者であっても、容易且つ安全に輸液ポンプの使用が可能となる。
【考案を実施するための最良の形態】
【００１４】
以下、本考案の実施例について図面を参照しながら説明する。
【実施例１】
【００１５】
図１は、本実施例の輸液ポンプ２０用チューブカセット１の分解斜視図である。この図に示すように、チューブカセット１のカセット本体２は合成樹脂製の一体成形により形成され、長形の薄形連結板３の片側両端にチューブ用保持部４ａ、４ｂが形成されている。なお、以下の説明の便宜上、薄形連結板３を有する側をカセット本体２の上側とし、その反対側をカセット本体２の下側とする。
【００１６】
カセット本体２の夫々の保持部４ａ、４ｂにはチューブ挿入溝５が形成されている。夫々のチューブ挿入溝５は、各保持部４ａ、４ｂの下側から上方へ向けて縦形に形成され、その溝の上部は横方向に円筒形に貫通された保持孔５ａとされている。上記のチューブ挿入溝５の幅は輸液チューブＴの外径よりも細径に形成され、可撓性を有する輸液チューブＴの幅を細径に伸ばすことによってチューブ挿入溝５内に挿入することができるようにしている。
【００１７】
また、輸液チューブＴは、カセット本体２の両側の保持部４ａ、４ｂの間で短尺に切断され、このチューブ（「連結チューブＴｃ」と称する）の両端にチューブコネクタ６を接続することによって一続きの輸液チューブＴとされ、両側のチューブコネクタ６、６でカセット本体２の両側の保持孔５ａ、５ａに固定することができる。この輸液チューブＴをカセット本体２に取り付けるには、両側のチューブコネクタ６、６間の連結チューブＴｃを少し引張って細幅状に延ばし、細幅となった部位をカセット本体２の両側のチューブ挿入溝５、５から保持孔５ａ、５ａに挿着した後、連結チューブＴｃを元の長さに復帰すると、図３（ａ）〜(ｃ)に示すように、チューブコネクタ６に形成された円形鍔６ａがカセット本体２の各保持孔５ａ、５ａの外側に係止された状態で固定される。
【００１８】
図３(ｃ)に示すように、上記のカセット本体２の片側保持部４ａの底面中央から上下方向にバルブ用孔７が形成されている。このバルブ用孔７は、上記のチューブ挿入溝５の中心に沿って下側から円径の孔が上方途中まで形成され、このバルブ用孔７の上方にはカセット本体２の上側に貫通する矩形孔７ａが形成されている。
【００１９】
上記のバルブ用孔７には、図１に示すフリーフローバルブ８が挿着される。このフリーフローバルブ８は、上部に矩形厚幅のプッシュ片９が形成され、プッシュ片９の下方は横方向に開口された開口部１０を有し、この開口部１０の上方に短尺円筒形のフローバルブ片１１が挿設され、開口部１０の下部には円形鍔形状の上側バネ受け１２が形成され、この上側バネ受け１２の下方には円柱形状の垂下案内部１３が形成されている。
【００２０】
このようなフリーフローバルブ８において、フローバルブ片１１の下側と上側バネ受け１２の下側には、可撓性のチューブを内方へ変形させる上側突起１１ａと下側突起１２ａとが形成され、これらの上側突起１１ａと下側突起１２ａとの間の開口部１０にチューブを緩やかに挿通することができる。具体的には、上記の連結チューブＴｃを開口部１０に挿通して、この連結チューブＴｃとチューブコネクタ６とを接続することにより、連結チューブＴｃがフリーフローバルブ８の開口部１０に挿通された状態となる。
【００２１】
さらに、フリーフローバルブ８は、垂下案内部１３の下部外周に円周溝１３ａが形成されてなり、垂下案内部１３に挿着されたコイルバネ１４を上側バネ受け１２で受けると共に、コイルバネ１４の下端を下側バネ受け１５で受けるようにしている。この下側バネ受け１５は上下に有幅の円形をなし、その上面中央にはコイルバネ１４の下端を係止する円形突起１５ａが形成され、円形突起１５ａの内部は上記の垂下案内部１３を挿入する貫通孔１５ｂが形成されている。また、この下側バネ受け１５には横方向に貫通した横穴１５ｃが形成されている。
【００２２】
この下側バネ受け１５を片側保持部４ａのバルブ用孔７に挿着した状態で、片側保持部４ａの側部から貫通状態に形成されたキー挿入溝１７にアンチバルブキー１８を挿入すると共に、アンチバルブキー１８を下側バネ受け１５の横穴１５ｃに挿着することによって、下側バネ受け１５がバルブ用孔７の下端の定位置に位置決めされた状態で固定される。さらに、フリーフローバルブ８の垂下案内部１３がアンチバルブキー１８に形成された通孔１８ａと下側バネ受け１５の貫通孔１５ｂに挿入されることによって、垂下案内部１３の上下移動を吸収すると共に、アンチバルブキー１８の抜け出しと、下側バネ受け１５の抜け出しを防止するようにしている。
【００２３】
上記のように構成されたフリーフローバルブ８を片側保持部４ａのバルブ用孔７に取り付けるには、図３(ｃ)に示すように、フリーフローバルブ８の開口部１０に連結チューブＴｃを挿通すると共にチューブコネクタ６に接続した状態にして、この連結チューブＴｃを上記のように片側保持部４ａのチューブ挿入溝５からバルブ用孔７に挿着する。
【００２４】
さらに、フリーフローバルブ８のプッシュ片９を片側保持部４ａのバルブ用孔７の下側から挿入してカセット本体２の上側から突出させ、コイルバネ１４をフリーフローバルブ８の垂下案内部１３に挿着した状態にする一方、下側バネ受け１５をバルブ用孔７に挿着し、アンチバルブキー１８をキー挿入溝１７に挿入して、下側バネ受け１５の横溝１５ｃに挿着する。これによって、図２（ａ）又は図３(ｃ)に示すようにフリーフローバルブ８は片側保持部４ａのバルブ用孔７の内部に挿着された状態となる。
【００２５】
このようなフリーフローバルブ８の取付状態において、図３(ｃ)に示すように、コイルバネ１４は常時フリーフローバルブ８を上方へ付勢した状態に弾発され、フリーフローバルブ８の開口部１０に挿通された輸液チューブＴを上側バネ受け１２の上側突起１２ａで上方へ押圧することによって、輸液チューブＴを閉塞した状態、即ちアンチフリーフロー状態にする。
【００２６】
さらに、本実施例においては、片側保持部４ａの上面から突出したプッシュ片９を下方へ押下げるためのフリーフローキー１９が設けられている。このフリーフローキー１９は、図２に示すように、可撓性合成樹脂によって断面コ字形をなす形状を有し、上側押さえ部１９ａが下側押え部１９ｂよりも少しだけ厚く形成されている。また、上側押さえ部１９ａと下側押え部１９ｂの各先端には微小な起立片１９ｃが互いに内側向きに形成されると共に、上側起立片１９ａの中央に形成された凹部１９ｄから連続する案内溝１９ｅ（図７(ｂ)又は(ｃ)参照）が上側起立片１９ａの内側に沿って形成されている。
【００２７】
図７（ａ）、(ｂ)に示すように、このフリーフローキー１９を片側保持部４ａの側部から嵌め込む際、上側押さえ部１９ａの起立片１９ｃの凹部１９ｄ及び凹溝１９ｅが片側保持部４ａの上面に突出したプッシュ片９に案内されることによってフリーフローキー１９を片側保持部４ａの定位置に嵌合すると共に、フリーフローキー１９の上側押さえ部１９ａがプッシュ片９を押下げるに従ってフリーフローバルブ８がコイルバネ１４の弾力に抗して下方へ押下げられると、フリーフローバルブ８の上側バネ受け１２が下方へ移動し、上側バネ受け１２内に挿通された輸液チューブＴを開放状態、即ちフリーフロー状態にする。
【００２８】
図４〜図６には上記のチューブカセット１を装填する輸液ポンプ２０が図示されている。この輸液ポンプ２０は、図５（ａ）、(ｂ)に示すように、筐体２１の片側にヒンジ構造１６によって開閉する開閉蓋２２が設けられ、この開閉蓋２２の開閉動作によって、輸液ポンプ２０のステータ２３がスライド移動する構成とされている。
【００２９】
一方、図５ (ｂ)に示すように輸液ポンプ２０の内部に設けられたモータＭによって回転駆動されるロータ２４には、図５（ａ）に示すように複数のローラ２５、２５…が回動自在に設けられている。ロータ２４は輸液ポンプ２０に設けられた表板２６（図４(ｂ)参照）で隠蔽状態にされているが、ロータ２４の一部が表板２６から露出した状態とされ、ロータ２４の回転を外側から目視可能にしている。なお、表板２６から露出したロータ２４の一部に嵌合する円弧溝２７ａがステータ２３の対向位置に形成されている。また、開閉蓋２２にはロック片２２ａが設けられ、開閉蓋２２を閉じたとき、表板２６に設けられたロック穴２６ｂに嵌合されるようにしている。
【００３０】
また、ステータ２３と表板２６との間には上記のチューブカセット１を装填する本体溝２７が設けられている。また、本体溝２７の両端には係止辺２８、２８が形成され、この係止辺２８、２８にチューブカセット１の両側から導き出された輸液チューブＴを収嵌する案内溝２８ａ、２８ａが形成されている。上記の本体溝２７は、ステータ２３の壁部２３ａとロータ２４との間に設けられた空隙であり、図６（ａ）に示すように、開閉蓋２２を最大に開いた状態にすると、チューブカセット１の薄形連結板３を表側に向けた状態で装填する幅だけステータ２３が移動する。
【００３１】
ただし、図４(ｂ)に示すように、輸液ポンプ２０の本体溝２７が最大に開いた状態においてチューブカセット１を嵌合した状態に装填可能であるが、この装填作業は、チューブカセット１からフリーフローキー１９（図２(ｂ)参照）を取り外したときに初めて可能となる。従って、チューブカセット１にフリーフローキー１９が取付けられた状態ではこのチューブカセット１を本体溝２７に装填することができないため、装填作業を行う患者は、視力の弱い患者であっても、手の感覚でチューブカセット１が本体溝２７に適正に装填されたかどうかを知ることができる。この際、本実施例のチューブカセット１の片側両部にチューブ用保持部４ａ、４ｂが形成され、その間に連結チューブＴｃが設けられた構造により、手で触っただけでその形状的特徴を容易に判断することできるという点で有益となる。
【００３２】
なお、チューブカセット１からフリーフローキー１９を取り外す際には、このフリーフローキー１９は使い捨てであって破損しても差し支えないため、視力の弱い患者でも、フリーフローキー１９を手の感触で確かめながら、適宜の方向へ引っ張り出すか、横方向へ倒し込むことによって、容易に取り外すことが可能となる。
【００３３】
そして、図４(ｃ)に示すように、フリーフローキー１９を取り外したチューブカセット１を輸液ポンプ２０の本体溝２７に装填し、開閉蓋２２を閉じる方向に回動すると、図４（ａ）に示すようにステータ２３がロータ２４の側に移動する（図６(ｂ)参照）。ここで、チューブカセット１が表板２６の下側に潜った状態で移動し、図５（ａ）に示すように、チューブカセット１の両側の保持部４ａ、４ｂの間に露呈した連結チューブＴｃがローラ２５の側部に押圧された状態となる。
【００３４】
なお、輸液ポンプ２０の表板２６には、図４（ａ）又は(ｃ)に示すように、開閉蓋２２の開閉動作に伴って移動するチューブカセット１の上面から突出したプッシュ片９を案内する案内溝２６ａが形成され、開閉蓋２２を閉じる動作によって、チューブカセット１が表板２６の下側に潜った状態となるが、表板２６の案内溝２６ａからプッシュ片９が突出した状態となる。
【００３５】
さらに、図６(ｂ)に示すように、開閉蓋２２を完全に閉じることによって、この開閉蓋２２の内側面がプッシュ片９を押圧する。このとき、図７（ａ）、(ｂ)（この図はフリーフローキー１９を嵌めこんだ状態を示すが、開閉蓋２２を閉じた場合も同様の内部構造となる）に示すように、フリーフローバルブ８が押下げられ、フリーフローバルブ８の上側バネ受け１２内に挿通された輸液チューブＴを開放状態、即ちフリーフロー状態にする。そして、このフリーフロー状態で輸液ポンプ２０のモータ２３を駆動してステータ２３を回転すると、図５（ａ）に示すように、各ローラ２５がカセット本体２の両側の保持部４ａ、４ｂ間の連結チューブＴｃを押圧することによって、輸液チューブＴ内の薬液が移送されることとなる。
【００３６】
また、上記の動作とは反対に開閉蓋２２を開けると、図７(ｄ)に示す場合と同様に、プッシュ片９がコイルバネ１４の弾力によって上方へ突出することによって、フリーフローバルブ８が上方へ移動し、上側バネ受け１２内の輸液チューブＴが閉塞されて、アンチフリーフロー状態にされる。このとき、図６（ａ）に示すように、ステータ２４が本体溝２７を開放する側に移動して、チューブカセット１の連結チューブがロータ２４から離れ、チューブ内の薬液移送が停止される。
【００３７】
なお、図３（ａ）又は(ｃ)に示すように、本実施例のチューブカセット１の連結チューブＴｃには閉塞圧検知器２９と気泡検知器３０とが取り付けられる。これらの閉塞圧検知器２９と気泡検知器３０とは、輸液ポンプ２０の本体溝２７内の所定位置に設けられ、チューブカセット１を本体溝２７に装填するのと同時に、チューブカセット１の連結チューブＴｃが閉塞圧検知器２９及び気泡検知器３０に装着されるものとされている。
【００３８】
上記のように構成された本実施例のチューブカセット１を使用する際のフリーフロー動作及びアンチフリーフロー動作について説明する。図７（ａ）、(ｂ)に示すように、プッシュ片９にフリーフローキー１９が装着された状態において、フリーフローバルブ８は上記のように開放状態にある。この状態で、薬液を注入するための準備段階として、チューブカセット１の輸液チューブＴの片側を不図示の薬液バッグに接続すると共に、他方の輸液チューブＴを注液用ポンプ（注射器等）に接続し、注液用ポンプ内の薬液を薬液バッグに充填する。次いで、図７(ｃ)、(ｄ)に示すように、フリーフローキー１９をプッシュ片９から取り外して、フリーフローバルブ８を閉塞状態にすることにより、高所に設置された薬液バックからの薬液が漏洩することを防止し得る状態となる。
【００３９】
次いで、薬液を注入するための装填段階として、図４（ａ）〜(ｃ)に示すように、チューブカセット１を輸液ポンプ２０の本体溝２７内に装填し、開閉蓋２２を完全に閉じると、プッシュ片９が下方へ押圧されることによってフリーフローバルブ８が開放された状態となる。この状態で輸液ポンプ２０を運転すると、ロータ２４（図５（ａ）参照）の回転によって薬液バッグの薬液が患者側に送液される。次いで、停止段階として、開閉蓋２２を開くと、プッシュ片９がコイルバネ１４の弾力によって上方へ復帰することにより、フリーフローバルブ８が閉塞される（図７(ｄ)参照）。この状態で、開閉蓋２２を完全に開いてチューブカセット１を取り出すことができる。
【産業上の利用可能性】
【００４０】
本考案の輸液ポンプ用チューブカセットは、体内に薬液を注入するための輸液ポンプに輸液チューブを装着する際に使用するカセット構造であって、高齢者や目の不自由な患者が使用する場合でも、簡単且つ安全に装填することができ、また簡便な操作でアンチフリーフローの状態又はフリーフローの状態にすることができる輸液ポンプ用チューブカセットとして利用することが可能である。
【図面の簡単な説明】
【００４１】
【図１】本考案に係る輸液ポンプ用チューブカセットの分解斜視図である。
【図２】（ａ）は本考案に係る輸液ポンプ用チューブカセットの片側保持部の内部を透視的に描いたものであり、フリーフローキーをカセット本体から取り外した状態にした斜視図である。(ｂ)はフリーフローキーをカセット本体に嵌合した状態の斜視図である。
【図３】（ａ）は本考案に係る輸液ポンプ用チューブカセットの上面図であり、(ｂ)は側面図であり、(ｃ)は内部を断面状態で示した縦断面図である。
【図４】（ａ）は本考案に係る輸液ポンプ用チューブカセットを輸液ポンプの本体溝に装填した状態で開閉蓋を閉じた状態を示す斜視図であり、(ｂ)は開閉蓋を開いて輸液ポンプ用チューブカセットを装填する前の状態を示す斜視図であり、(ｃ)は輸液ポンプ用チューブカセットを装填した状態を示す斜視図である。
【図５】（ａ）は本考案に係る輸液ポンプ用チューブカセットを装填する輸液ポンプの平面図であり、(ｂ)は背面図である。
【図６】（ａ）は本考案に係る輸液ポンプ用チューブカセットを装填する輸液ポンプの開閉蓋を開けた状態を示す側面図であり、(ｂ)は開閉蓋を閉じた状態を示す側面図である。
【図７】（ａ）及び(ｂ)はフリーフローキーを嵌合した状態を示すカセット本体の内部構造を示す断面図であり、(ｃ)及び(ｄ)はフリーフローキーを取り外した状態を示すカセット本体の内部構造を示す断面図である。
【符号の説明】
【００４２】
１  チューブカセット
２  カセット本体
３  薄形連結板
４ａ、４ｂ  保持部
５  チューブ挿入溝
５ａ  保持孔
６  チューブコネクタ
６ａ  円形鍔
７  バルブ用孔
７ａ  矩形孔
８  フリーフローバルブ
９  プッシュ片
１０  開口部
１１  フローバルブ片
１１ａ  上側突起
１２  上側バネ受け
１２ａ  下側突起
１３  垂下案内部
１３ａ  円周溝
１４  コイルバネ
１５  下側バネ受け
１５ａ  円形突起
１５ｂ  貫通孔
１５ｃ  横穴
１６  ヒンジ構造
１７  キー挿入溝
１８  アンチバルブキー
１８ａ  通孔
１９  フリーフローキー
１９ａ  上側押さえ部
１９ｂ  下側押え部
１９ｃ  起立片
１９ｄ  凹部
１９ｅ  凹溝
２０  輸液ポンプ
２１  筐体
２２  開閉蓋
２２ａ  ロック片
２３  ステータ
２３ａ  壁部
２４  ロータ
２５  ローラ
２６  表板
２６ａ  
２６ｂ  ロック穴
２７  本体溝
２７ａ  円弧溝
２８  係止辺
２８ａ  案内溝
２９  閉塞圧検知器
３０  気泡検知器
Ｍ  モータ
Ｔ  輸液チューブ
Ｔｃ  連結チューブ
【図１】
0003133453.tif 000003
【図２】
0003133453.tif 000004
【図３】
0003133453.tif 000005
【図４】
0003133453.tif 000006
【図５】
0003133453.tif 000007
【図６】
0003133453.tif 000008
【図７】
0003133453.tif 000009